(57)【要約】【課題】単一の駆動手段で駆動する氷送出スクリューおよびアジテータにおいて、アジテータのみを駆動してアーチングの発生を防止する。【解決手段】アイスディスペンサは、モータＭから氷送出スクリュー３０に回転を伝達する第１伝達手段５０に、モータＭの正回転にのみ氷送出スクリューに連結するクラッチ部材５６を備えている。モータＭを正方向へ回転駆動することで、クラッチ部材５６を介して氷送出スクリュー３０が回転されて氷塊Ｋを外部に取出し得ると共に、アジテータ４０が回転されて氷塊Ｋが撹拌される。また、タイマ手段ＴＭによりモータＭを逆方向へ回転駆動させることで、クラッチ部材５６が空転して氷送出スクリュー３０が回転されず、アジテータ４０を独立して回転させて氷塊Ｋの撹拌のみを実施する。【選択図】図２
2006118770.tif 000002
【特許請求の範囲】
【請求項１】
正逆回転可能な駆動手段(M)と、氷塊(K)が貯蔵される貯氷庫(14)に回転自在に配設され、前記駆動手段(M)により第１伝達手段(50)を介して回転されて貯氷室(16)から氷塊(K)を外部へ送出する氷送出スクリュー(30)と、前記貯氷庫(14)に回転自在に配設され、前記駆動手段(M)により第２伝達手段(60)を介して回転されて氷塊(K)を撹拌するアジテータ(40)とを備えるアイスディスペンサにおいて、
前記第１伝達手段(50)に、前記駆動手段(M)の正回転時にのみ該第１伝達手段(50)を氷送出スクリュー(30)に連結するクラッチ部材(56,58)を設け、
前記駆動手段(M)の正回転時には、前記クラッチ部材(56,58)を介して前記第１伝達手段(50)と氷送出スクリュー(30)とを連結して、該スクリュー(30)による氷塊(K)の送出を行なうと共に、前記第２伝達手段(60)が前記アジテータ(40)を回転して氷塊(K)を撹拌し、
前記駆動手段(M)の逆回転時には、前記クラッチ部材(56,58)による前記第１伝達手段(50)と前記氷送出スクリュー(30)との連結を解除し、前記第２伝達手段(60)による前記アジテータ(40)の回転のみを行なって氷塊(K)を撹拌するようにした
ことを特徴とするアイスディスペンサ。
【請求項２】
前記クラッチ部材(56)は、前記第１伝達手段(50)における前記氷送出スクリュー(30)との連結部に配設される請求項１記載のアイスディスペンサ。
【請求項３】
前記クラッチ部材(58)は、前記第１伝達手段(50)における前記モータ(M)との連結部に配設される請求項１記載のアイスディスペンサ。
【請求項４】
前記駆動手段(M)の停止時に、予め設定した第１の設定時間を経過すると、第２の設定時間だけ駆動手段(M)を逆回転させるタイマ手段(TM)を備える請求項１〜３の何れかに記載のアイスディスペンサ。
【発明の詳細な説明】
【技術分野】
【０００１】
この発明は、貯氷室から氷塊を外部へ送出する氷送出スクリューと、貯氷室に貯蔵した氷塊を撹拌するアジテータとを備え、氷送出スクリューおよびアジテータを同一の駆動手段で回転駆動するよう構成したアイスディスペンサに関するものである。
【背景技術】
【０００２】
多量の氷塊を貯氷室に貯蔵して、必要に応じて取出しできるよう構成したアイスディスペンサが、飲食店等で広く用いられている(例えば、特許文献１参照)。このアイスディスペンサは、貯氷室の底部近傍に回転可能に支持した軸部に螺旋状に巻き掛けたフィンを有する氷送出スクリューを備え、この軸部がモータ(駆動手段)により回転されることで、氷塊をフィンで案内移送して、貯氷室の底部に開設された氷放出口から氷塊を送出するよう構成されている。また、前記貯氷室には、前記氷送出スクリューの上方に位置してアジテータが回転自在に配設され、その軸部が前記モータにより回転されるようになっている。すなわち、モータを駆動することで、氷送出スクリューが回転されて氷塊が氷放出口から送出されると共に、アジテータが回転されて貯氷室に貯蔵した氷塊が撹拌される。
【特許文献１】実開昭５８−１２６６８１号公報
【発明の開示】
【発明が解決しようとする課題】
【０００３】
ところで、前記アイスディスペンサでは、アジテータと氷送出スクリューとが同時に回転するようになっているので、氷塊の送出をしないと貯氷室に貯蔵した氷塊が撹拌されない難点がある。すなわち、氷塊の取出しを長時間実施しなかった場合、貯氷室に貯蔵した氷塊は撹拌されないので氷塊同士が氷結してアーチングが発生してしまう虞れがある。アーチングが発生すると、氷塊の送出に際し、氷送出スクリューやアジテータがアーチング状態となった氷塊群に引っ掛かって回転しなくなり、氷塊が送出されないばかりでなく、モータへの過負荷、各軸部に対しモータから回転を伝達するギアやスプロケットやチェーン等の伝達手段の破損等の様々な問題が引き起こされる虞れがある。従って、アーチングが発生した場合は、使用者が棒やスコップ等で氷塊のアーチング状態を突崩す作業が必要となり、多大な手間を強いていた。
【０００４】
すなわちこの発明は、従来の技術に係るアイスディスペンサに内在する前記問題に鑑み、これらを好適に解決するべく提案されたものであって、単一の駆動手段で駆動する氷送出スクリューおよびアジテータにおいて、アジテータのみを独立して駆動してアーチングの発生を好適に防止し得るアイスディスペンサを提供することを目的とする。
【課題を解決するための手段】
【０００５】
前記課題を克服し、所期の目的を達成するため、本発明に係るアイスディスペンサは、
正逆回転可能な駆動手段と、氷塊が貯蔵される貯氷庫に回転自在に配設され、前記駆動手段により第１伝達手段を介して回転されて貯氷室から氷塊を外部へ送出する氷送出スクリューと、前記貯氷庫に回転自在に配設され、前記駆動手段により第２伝達手段を介して回転されて氷塊を撹拌するアジテータとを備えるアイスディスペンサにおいて、
前記第１伝達手段に、前記駆動手段の正回転時にのみ該第１伝達手段を氷送出スクリューに連結するクラッチ部材を設け、
前記駆動手段の正回転時には、前記クラッチ部材を介して前記第１伝達手段と氷送出スクリューとを連結して、該スクリューによる氷塊の送出を行なうと共に、前記第２伝達手段が前記アジテータを回転して氷塊を撹拌し、
前記駆動手段の逆回転時には、前記クラッチ部材による前記第１伝達手段と前記氷送出スクリューとの連結を解除し、前記第２伝達手段による前記アジテータの回転のみを行なって氷塊を撹拌するようにしたことを特徴とする。
【発明の効果】
【０００６】
本発明に係るアイスディスペンサによれば、駆動手段の正回転時にのみ氷送出スクリューを回転させるクラッチ部材を第１伝達手段に設けたから、氷塊の取出しを長時間実施しない場合には駆動手段を逆回転してアジテータのみを回転することで、貯氷室の貯蔵した氷塊を撹拌することができ、アーチングの発生を防止し得る。しかも、アジテータの独立回転を、正回転時のみ第１伝達手段と氷送出スクリューとを連結するクラッチ部材を設けるだけで達成し得るから、構成が簡単であり、コストを増加させることなく、アーチングの防止と云う大きな効果が得られる。クラッチ部材を第１伝達手段と氷送出スクリューとの連結部に配設することで、第１伝達手段および第２伝達手段と駆動手段との連結部分を一体的にすることができ、構成を簡略化し得る。また、クラッチ部材を第１伝達手段と駆動手段との連結部に配設することで、駆動手段の逆方向への回転駆動時には、第１伝達手段は回転しないので、騒音を抑制し得ると共に、第１伝達手段を構成する部材の摩耗等が抑制されてこれらの長寿命化を図り得る。更に、駆動手段の停止時に、タイマ手段による第１の設定時間を経過すると、第２の設定時間だけ駆動手段を逆方向へ回転駆動するよう構成することで、タイマ手段による第１の設定時間を経過するような、氷塊が長時間送出されない場合、氷送出スクリューによる氷塊の取出しを伴わず、アジテータのみを回転させて貯氷室に貯蔵した氷塊の撹拌だけを実施することができる。すなわち、定期的に貯氷室に貯蔵した氷塊を撹拌することで、アーチングの発生を防止し得る。
【発明を実施するための最良の形態】
【０００７】
次に、本発明に係るアイスディスペンサにつき、好適な実施例を挙げて、添付図面を参照して以下に説明する。なお、アイスディスペンサの前側とは、氷放出口が設けられた側を指す。
【実施例】
【０００８】
図１に示すアイスディスペンサ１０は、その本体をなす筐体１２に、断熱材で囲われて貯氷室１６を内部画成した上方に開放する箱状の貯氷庫１４を備えると共に、この貯氷庫１４の上部に、多数の氷塊Ｋを製造する製氷ユニット２０を配設した製氷機構室１８を備えている。また、前記貯氷庫１４の下方には、機械室２２が筐体１２に内部画成され、この機械室２２に圧縮機ＣＭ、凝縮器ＣＤおよび凝縮器ファンＦＭ等の冷凍機構２４および電装箱２６等が収納されるようになっている。そして、前記冷凍機構２４の駆動下に、前記製氷ユニット２０へ給水することで所要形状の氷塊Ｋが連続的に生成され、この生成された氷塊Ｋは製氷ユニット２０から放出されて、下方に位置する貯氷室１６に受容されて貯蔵されるようになっている。
【０００９】
前記貯氷庫１４は、その底部前側に貯氷室１６に連通する氷放出口２８が開設されると共に、この氷放出口２８に接続してシュート２８ａが配設され、このシュート２８ａの下方に位置させた容器に、後述する氷送出スクリュー３０により氷放出口２８まで送出された氷塊Ｋを該シュート２８ａで案内し得るようになっている。前記貯氷庫１４の前壁には、開口部１４ａが設けられ、この開口部１４ａは断熱処理された前扉１４ｂにより開閉自在に閉成されている。前記前扉１４ｂは、一側部に設けた蝶番(図示せず)を介して貯氷庫１４に回動自在に配設され、常にはロック機構(図示せず)により密閉されているが、このロック機構を解除して前扉１４ｂを開放することで開口部１４ａを介して貯氷室１６の清掃等を実施し得るように構成される。また前扉１４ｂの前面側には、氷送出スクリュー３０を回転自在に保持する第１前軸受３７、アジテータ４０を回転自在に保持する第２前軸受４７およびモータ(駆動手段)Ｍの設置基体となるベース部材１５が設置され、このベース部材１５は、前扉１４ｂの補強部材として機能すると共に、前扉１４ｂの開閉につれて移動するようになっている。更に、前記ベース部材１５の前面側には、前面カバー１２ａが貯氷庫１４に着脱自在に設置され、ベース部材１５の前面側に設けられた後述する第１および第２伝達手段５０,６０を覆ってアイスディスペンサ１０の前側における意匠面をなしている。そして、前記貯氷室１６における略中央の底部には、前後方向に延在する上方に開放した半円状の凹部１６ａが形成されると共に、この凹部１６ａの前側において前記氷放出口２８が開設されている(図３参照)。また、前記貯氷室１６における凹部１６ａ以外の底面は、この貯氷室１６に貯蔵した氷塊Ｋを凹部１６ａに導くようすり鉢状に傾斜している。
【００１０】
前記貯氷室１６の底部近傍には、該貯氷室１６における底部に形成された凹部１６ａに半分程収容された状態で、前後方向に延在して氷送出スクリュー３０が貯氷庫１４に回転自在に配設されている。また、前記貯氷室１６における上下方向の略中間には、前記氷送出スクリュー３０の上方に位置して、前後方向に延在するアジテータ４０が貯氷庫１４に回転自在に配設されている。前記氷送出スクリュー３０およびアジテータ４０は、正逆回転可能な共通のモータＭの回転を、第１伝達手段５０および第２伝達手段６０を介して夫々伝達することで回転するようになっている。前記モータＭは、前記前扉１４ｂに固定されたベース部材１５における貯氷庫１４の下方に延在する部位に設置され、この前扉１４ｂの開放に伴って移動するようになっている。なお、前記氷送出スクリュー３０およびアジテータ４０は、同一のモータＭで回転駆動されるものの、モータＭの回転方向によってこれらが同時に回転したり、氷送出スクリュー３０は回転せずにアジテータ４０のみが独立して回転するよう構成される。
【００１１】
前記氷送出スクリュー３０は、前後方向に延在する軸部３２と、この軸部３２に螺旋状に巻き掛けられたフィン３４とから構成され、軸部３２の回転に伴ってフィン３４が回転し、このフィン３４により貯氷室１６の凹部１６ａに落ち込んだ氷塊Ｋを後側から前側に案内移送することで、凹部１６ａの前側に設けられた前記氷放出口２８から氷塊Ｋを放出するようになっている。前記軸部３２は、その後端を前記貯氷庫１４における後側の内壁に設けられた第１後軸受３６に回転自在に保持されると共に、その前端が第１カップリング３８に着脱自在に接続されている。すなわち、前記氷送出スクリュー３０は、前記第１カップリング３８および第１後軸受３６から軸部３２を取外すことで交換可能となっている。前記第１カップリング３８は前扉１４ｂを貫通して、ベース部材１５に設置した第１前軸受３７により回転自在に保持され、更に第１前軸受３７から前側に突き出た前端部が第１伝達手段５０の後述するクラッチ部材５６に連結されている。
【００１２】
前記モータＭの回転を氷送出スクリュー３０に伝える第１伝達手段５０は、モータＭの回転軸Ｍ１に配設した送出用スプロケットＭＳと、この送出用スプロケットＭＳの上方に位置して前記第１カップリング３８の前端に配設した第１スプロケット５２と、上下の関係で配設した送出用スプロケットＭＳおよび第１スプロケット５２に巻回された無端の第１チェーン５４とから構成されている(図２参照)。また第１伝達手段５０には、第１スプロケット５２の内周に同軸的に配設した第１カップリング３８の前端部に配設されて、モータＭの正回転にのみ第１スプロケット５２(第１伝達手段５０)と第１カップリング３８(氷送出スクリュー３０)とを連結するクラッチ部材５６が設けられている。前記第１スプロケット５２と第１カップリング３８との間に介在させたクラッチ部材５６は、所謂ワンウェイクラッチが採用され、第１スプロケット５２の正方向への回転時には、第１スプロケット５２と噛み合ってこの正回転を第１カップリング３８に伝達する一方、第１スプロケット５２の逆方向への回転時には、第１スプロケット５２と噛み合うことなく解放してこの逆回転を第１カップリング３８に伝達しないよう構成される。すなわち、前記モータＭを正方向へ回転駆動すると、前記クラッチ部材５６により第１スプロケット５２と第１カップリング３８とが連結されてこの正回転は氷送出スクリュー３０に伝達されて、該氷送出スクリュー３０が回転するものの、モータＭを逆方向へ回転駆動すると、クラッチ部材５６による第１スプロケット５２と第１カップリング３８との連結が解除されて、第１スプロケット５２が回転するのにかかわらず、氷送出スクリュー３０が回転しないようになっている。
【００１３】
前記アジテータ４０は、前後方向に延在する軸部４２と、この軸部４２に螺旋状に巻き掛けられた撹拌棒４４とから構成され、軸部４２の回転に伴って撹拌棒４４が回転し、この撹拌棒４４により貯氷室１６に貯蔵した氷塊Ｋを撹拌するようになっている(図２参照)。前記軸部４２は、その後端を前記貯氷庫１４における後側の内壁に設けられた第２後軸受４６に回転自在に保持されると共に、前端を第２カップリング４８に着脱自在に接続されている。すなわち、前記アジテータ４０は、前記第２カップリング４８および第２後軸受４６から軸部４２を取外すことで交換可能となっている。前記第２カップリング４８は前扉１４ｂを貫通して、ベース部材１５に設置した第２前軸受４７により回転自在に保持され、更に第２前軸受４７から前側に突き出た前端部が第２伝達手段６０の後述する第２スプロケット６２に連結されている。
【００１４】
前記モータＭの回転をアジテータ４０に伝える第２伝達手段６０は、モータＭの回転軸Ｍ１に配設した撹拌用スプロケットＭＫと、この撹拌用スプロケットＭＫの上方に位置して前記第２カップリング４８の前端部に連結した第２スプロケット６２と、上下の関係で配設した撹拌用スプロケットＭＫおよび第２スプロケット６２に巻回された無端の第２チェーン６４とから構成される(図２参照)。そして前記アジテータ４０は、モータＭの回転方向に応じた方向へ回転するように設定されている。なお、前記撹拌用スプロケットＭＫは、回転軸Ｍ１において前記送出用スプロケットＭＳより前側に配設され、チェーン５４,６４が互いに干渉しないようになっている。
【００１５】
前記アイスディスペンサ１０は、適宜箇所に設けられた氷放出スイッチＳをＯＮすることで、前記モータＭが正方向へ回転駆動され、氷送出スクリュー３０が回転されて氷塊Ｋが氷放出口２８から放出され、同時にアジテータ４０が回転されて貯氷室１６に貯蔵した氷塊Ｋが撹拌される。また前記アイスディスペンサ１０は、前記氷放出スイッチＳがＯＦＦされてから、予め設定した第１の設定時間のカウントを開始するタイマ手段ＴＭを備え、氷放出スイッチＳのＯＦＦ状態となってから、タイマ手段ＴＭによる第１の設定時間を経過しても氷放出スイッチＳがＯＮされない場合、前記モータＭを逆方向へ回転駆動し、この逆方向への回転駆動時点からカウントを開始するタイマ手段ＴＭによる第２の設定時間を経過するとモータＭを停止するよう制御されている。また、タイマ手段ＴＭは、前記第２の設定時間をカウントアップすると再び第１の設定時間のカウントを開始するように設定されており、前記氷送出スイッチＯＮされるまで該タイマ手段ＴＭによる第１および第２の設定時間のカウントが繰返される。このように、氷塊Ｋの送出に伴う撹拌動作が第１の設定時間を経過しても行なわれない場合は、氷送出スクリュー３０を回転させずにアジテータ４０のみを回転して、貯氷室１６に貯蔵した氷塊Ｋを第２の設定時間だけ撹拌して、アーチングの防止を図るようになっている。なお、前記タイマ手段ＴＭの設定時間は、外気温や氷塊Ｋの送出間隔等を勘案して適宜設定される。
【００１６】
図４は、アイスディスペンサ１０における電気制御回路の要部を示すものであって、電源ラインＲに接続する氷放出スイッチＳのＯＮ側の接点と電源ラインＴとの間にモータＭが接続されている。また、モータＭは電源ラインＲに対しても逆回転ラインＬ２を介して直接接続されている。すなわちモータＭは、電源ラインＲに対して直接接続する逆回転ラインＬ２と氷放出スイッチＳのＯＮ側の接点を介して接続する正回転ラインＬ１との２つのラインで接続される。更に、氷放出スイッチＳのＯＦＦ側の接点と電源ラインＴとの間には、前記モータＭに対して並列にタイマ手段ＴＭが接続されている。そして、前記正回転ラインＬ１において、氷送出スイッチＳのＯＮ接点とモータＭとの間には、タイマ手段ＴＭの常閉接点ＴＭ−ｂが介挿されると共に、逆回転ラインＬ２には、タイマ手段ＴＭの常開接点ＴＭ−ａがモータＭの電源ラインＲ側に直列に介挿されている。更にまた、正転ラインＬ１における常閉接点ＴＭ−ｂおよびモータＭの間と、逆回転ラインＬ２における常開接点ＴＭ−ａおよびモータＭの間とが接続され、この中途にキャパシタＣが介挿されている。すなわち、氷送出スイッチＳがＯＮされることで、モータＭは正方向へ回転駆動し、氷送出スイッチＳがＯＦＦしてから第１の設定時間の経過後に、タイマ手段ＴＭがＯＮされると、常閉接点ＴＭ−ｂを開放すると共に常開接点ＴＭ−ａを閉成することで、キャパシタＣの作用下にモータＭが逆方向へ回転駆動するようになっている。前記タイマ手段ＴＭがＯＮしてから第２の設定時間を経過すると、該タイマ手段ＴＭはＯＦＦされ、常閉接点ＴＭ−ｂを閉成すると共に常開接点ＴＭ−ａを開放することで、モータＭが停止される。なお、前記タイマ手段ＴＭは、氷送出スイッチＳがＯＮされるとリセットされる。
【００１７】
〔実施例の作用〕
次に、実施例に係るアイスディスペンサの作用について説明する。なお、貯氷室１６には前記製氷ユニット２０による製氷運転の繰返しにより、所定量の氷塊Ｋが貯蔵された状態にある。
【００１８】
前記氷送出スイッチＳをＯＮすることで、タイマ手段ＴＭの常閉接点ＴＭ−ｂを介して正回転ラインＬ１からモータＭに通電されて、このモータＭが正方向に回転駆動する。モータＭの回転軸Ｍ１が正方向へ回転されることで、この回転軸Ｍ１に配設した送出側スプロケットＭＳおよび撹拌側スプロケットＭＫも回転し、これに伴って、これらのスプロケットＭＳ,ＭＫに巻き掛けられた各チェーン５４,６４が夫々回転する。すなわち、第２チェーン６４により第２スプロケット６２が正方向へ回転することで、この第２スプロケット６２に第２カップリング４８を介して連結したアジテータ４０が正方向へ回転され、貯氷室１６においてアジテータ４０の軸部４２から半径方向へ延出した撹拌棒４４が貯蔵した氷塊Ｋをかき回すから、氷塊Ｋ同士の氷結状態を突崩すと共に、氷塊Ｋを流動させてアーチングの発生を未然に防止し得る。同時に、第１チェーン５４により第１スプロケット５２が正方向へ回転される。ここで、前記第１スプロケット５２と第１カップリング３８との間に介在しているクラッチ部材５６は、正方向への回転時には第１スプロケット５２に噛み合うよう構成されているから、クラッチ部材５６を介して第１カップリング３８が正方向へ回転される。そして、第１カップリング３８に連結した氷送出スクリュー３０が正方向へ回転され、貯氷室１６の凹部１６ａにおいて軸部３２から半径方向へ延出して螺旋状に巻き掛けたフィン３４の旋回動作に案内されて、氷塊Ｋが後側から前側に移送されて凹部１６ａの前側に開口する氷放出口２８から押し出されてシュート２８ａに案内されて外部に放出される。前記氷送出スイッチＳのＯＮ状態を維持することで氷塊Ｋの送出は連続して実施され、必要とする量だけ外部に取出すことができる。なお、氷送出スイッチＳがＯＮ状態にある氷塊送出時には、タイマ手段ＴＭは通電されず停止状態にある。
【００１９】
前記氷送出スイッチＳがＯＦＦされると、モータＭは停止されると共に、タイマ手段ＴＭに通電されることで、タイマ手段ＴＭによる第１の設定時間のカウントが開始される。このタイマ手段ＴＭが第１の設定時間をカウントアップすることで、前記正回転ラインＬ１の常閉接点ＴＭ−ｂが開放されると共に、逆回転ラインＬ２の常開接点ＴＭ−ａが閉成されて、前記キャパシタＣの作用下にモータＭに通電するから、このモータＭが逆方向へ回転駆動される。モータＭの回転軸Ｍ１が逆方向へ回転されることで、この回転軸Ｍ１に配設された送出側スプロケットＭＳおよび撹拌側スプロケットＭＫも回転し、これに伴って、これらのスプロケットＭＳ,ＭＫに巻き掛けられた各チェーン５４,６４が夫々回転する。すなわち、第２チェーン６４により第２スプロケット６２が逆方向へ回転することで、この第２スプロケット６２に第２カップリング４８を介して連結したアジテータ４０が逆方向へ回転されて撹拌棒４４が貯蔵した氷塊Ｋをかき回すから、氷塊Ｋ同士の氷結状態を突崩すと共に、氷塊Ｋを流動させてアーチングの発生を未然に防止し得る。同時に、第１チェーン５４により第１スプロケット５２が逆方向へ回転されるものの、第１スプロケット５２と第１カップリング３８との間に介在しているクラッチ部材５６は、逆方向への回転時には第１スプロケット５２に噛み合わずに解放するよう構成してあるので、クラッチ部材５６を介して第１カップリング３８に逆方向への回転が伝達されず、前記氷送出スクリュー３０は回転しない。すなわち、アジテータ４０による氷塊Ｋの撹拌のみが独立して実施されて氷塊Ｋは送出されない。
【００２０】
また、前記タイマ手段ＴＭでは、第１の設定時間をカウントアップしてから、第２の設定時間のカウントが開始される。このタイマ手段ＴＭが第２の設定時間をカウントアップすると、前記正回転ラインＬ１の常閉接点ＴＭ−ｂが閉成されると共に、逆回転ラインＬ２の常開接点ＴＭ−ａが開放されてモータＭへの通電が遮断されるから、モータＭが停止される。すなわち、アジテータ４０は、回転を停止して、氷塊Ｋの撹拌動作が終了される。ここで、タイマ手段ＴＭは、第２の設定時間をカウントアップすると、再び第１の設定時間のカウントを開始し、前記氷送出スイッチＳがＯＮされるまで、第１の設定時間および第２の設定時間のカウントによるモータＭの逆回転駆動および停止が繰返される。そして、前記氷送出スイッチＳがＯＮされることで、タイマ手段ＴＭがリセットされると共に、モータＭが正方向へ回転駆動されて、前記クラッチ部材５６を介して氷送出スクリュー３０が回転され、所要量の氷塊Ｋを取出すことができる。
【００２１】
このように、モータＭの回転を氷送出スクリュー３０に伝える第１伝達手段５０に関し、モータＭの正方向への回転を氷送出スクリュー３０に伝達する一方、モータＭの逆方向への回転時には空転するよう構成してあるから、モータＭの正方向への回転時には、氷送出スクリュー３０による氷塊Ｋの送出と同時に、アジテータ４０による氷塊Ｋの撹拌が実施され、モータＭの逆方向への回転時には、氷塊Ｋを氷放出口２８から放出することなくアジテータ４０による氷塊Ｋの撹拌のみを独立して実施することができる。すなわち、氷送出スイッチＳがＯＦＦされてから、タイマ手段ＴＭが第１の設定時間をカウントアップするような、氷塊Ｋが長時間送出されない場合、モータＭを逆方向へ回転駆動することで、氷送出スクリュー３０による氷塊Ｋの取出しを伴わず、アジテータ４０のみを回転させて貯氷室１６に貯蔵した氷塊Ｋを撹拌することができる。また、定期的に貯氷室１６に貯蔵した氷塊Ｋを撹拌することで、氷塊同士が長時間位置を変えないことによるアーチングの発生を防止し得る。従って、氷塊Ｋの送出時において、アーチングに起因する氷送出スクリュー３０またはアジテータ４０の回転不能を回避して、所要量の氷塊Ｋを好適に取出し得ると共に、モータＭの過負荷、モータＭから各軸部３２,４２に回転を伝達するスプロケット５２,６２やチェーン５４,６４等の伝達手段５０,６０の破損等も回避し得る。しかも、アーチングが発生し難くなるから、アーチングの発生毎に使用者に強いていたアーチングを突崩す作業もなくなり、管理上の手間も軽減し得る。
【００２２】
また、モータＭの逆方向への回転時に前記第１伝達手段５０により氷送出スクリュー３０を回転させない構成は、第１伝達手段５０を構成する第１スプロケット５２と、前記氷送出スクリュー３０の軸部３２に連結した第１カップリング３８との間に、この第１カップリング３８を正方向へのみ回転するワンウェイクラッチであるクラッチ部材５６を配設するだけで達成し得るから、構成が簡単であり、コストを増加させることなく、アーチングの防止と云う大きな効果が得られる。しかも、単一のモータＭで、氷送出スクリュー３０とアジテータ４０との同時回転およびアジテータ４０のみの回転の２つの態様を選択し得るから、夫々にモータＭを設ける必要がなく、コストを低減し得る利点もある。また、タイマ手段ＴＭは、設定時間を任意に設定し得るので、外気温、氷塊Ｋの使用量または使用頻度等の条件に応じて、アーチングを好適に防止し得るよう効率的な設定とすることができる。そして、前記クラッチ部材５６を、第１伝達手段５０における第１カップリング３８(氷送出スクリュー３０)との連結部に配設することで、回転軸Ｍ１に設けた送出用スプロケットＭＳおよび撹拌用スプロケットＭＫを一体化することができ、構成を簡略化し得る。
【００２３】
ここで、前記アジテータ４０を逆方向へ回転させると、前側へ向けてスラスト荷重が加わることが指摘される。しかしアジテータ４０は、ロック機構および蝶番により強固に開口部１４ａに保持された前扉１４ｂに対し、一体的に固定された補強部材としての機能を持つベース部材１５に配設した第２前軸受４７にその前端を保持されているので、スラスト荷重を充分に受容し得る。また、前扉１４ｂは、ロック機構を解除することで、蝶番を回動支点として開放可能に構成してあるので、貯氷室１６の清掃作業を容易に実施し得ると共に、貯氷室１６に配設した氷送出スクリュー３０およびアジテータ４０は対応するカップリング３８,４８および後軸受３６,４６から取外し得るので、これらの交換作業も容易に行なうことができる。
【００２４】
図５は、変更例に係るアイスディスペンサの要部を示す側断面図であって、実施例と同一の部材は同一の符号を用いると共に、基本的な構成は実施例と同様であるので異なる構成のみ説明する。実施例では、第１伝達手段５０において、氷送出スクリュー３０(第１カップリング３８と第１スプロケット５２の間)側にクラッチ部材５６を設ける構成であるが、これに限定されず、クラッチ部材５８をモータＭの回転軸Ｍ１側(第１伝達手段５０とモータＭとの連結部)に配設する構成も採用し得る。すなわち、変更例のクラッチ部材５８は、送出用スプロケットＭＳの内側に位置する回転軸Ｍ１に配設され、モータＭの正方向への回転駆動時には、送出用スプロケットＭＳと噛み合って第１伝達手段５０を介して氷送出スクリュー３０を回転させる。これに対し、モータＭの逆方向への回転駆動時には、クラッチ部材５８は送出用スプロケットＭＳと回転軸Ｍ１との噛み合いを解除しているから、第１伝達手段５０は回転されない。すなわち、実施例の構成と同様の作用効果が得られるが、更にモータＭの逆方向への回転駆動時に、第１伝達手段５０を構成する送出用スプロケットＭＳや第１チェーン５４は回転しないので、第１伝達手段５０の回転に伴う騒音を抑制し得ると共に、これらの部材の摩耗等が抑制されて長寿命化を図り得る。
【図面の簡単な説明】
【００２５】
【図１】本発明の好適な実施例に係るアイスディスペンサを示す側断面図である。
【図２】実施例のアイスディスペンサの要部を示す側断面図である。
【図３】実施例のアイスディスペンサの要部であって、前面カバーを外して示す正面図である。
【図４】実施例のアイスディスペンサの電気制御回路図である。
【図５】変更例のアイスディスペンサの要部を示す側断面図である。
【符号の説明】
【００２６】
１４ 貯氷庫，１６ 貯氷室，３０ 氷送出スクリュー，４０ アジテータ，
５０ 第１伝達手段，５６ クラッチ部材，５８ クラッチ部材，６０ 第２伝達手段，
Ｋ 氷塊，Ｍ モータ(駆動手段)，Ｍ１ 回転軸，Ｔ タイマ手段
【図１】
2006118770.tif 000003
【図２】
2006118770.tif 000004
【図３】
2006118770.tif 000005
【図４】
2006118770.tif 000006
【図５】
2006118770.tif 000007